【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
方法であって、
コンピューティング・デバイスによって、該デバイス上に表示するための画像の寸法に少なくとも部分的に基づいた、該画像のスクロール範囲を決定すること、
該コンピューティング・デバイスによって、該画像の起点位置および該デバイスの初期の傾けを決定すること、
該コンピューティング・デバイスによって、第１の軸の周りの第２の傾けおよび回転速度を決定すること、
該コンピューティング・デバイスによって、第２の軸の周りの回転速度を決定すること、
該コンピューティング・デバイスによって、該第１の軸の周りの該デバイスの回転速度に対する該第２の軸の周りまたは該第２の軸の成分の周りの該デバイスの回転速度の比率を決定すること、
該コンピューティング・デバイスによって、前記比率を、事前決定された非ゼロしきい比率と比較すること、
該コンピューティング・デバイスによって、該比較することに基づいて、該画像のスクロール提示を表示すべきかどうかを決定すること、
該コンピューティング・デバイスによって、該画像のスクロール提示を表示すべき場合、
該スクロール範囲、該起点位置、該初期の傾け、および該第２の傾けに少なくとも部分的に基づいて、前進パラメータを決定すること、
該前進パラメータに少なくとも部分的に基づいて、該画像のスクロール提示を表示すること、を備える方法。
【請求項２】
前記前進パラメータが、
前記第２の軸の周りの前記回転速度を決定すること、
前記第１の軸の周りの該デバイスの回転速度に対する前記第２の軸の周りもしくは前記第２の軸の成分の周りの該デバイスの回転速度の比率を決定すること、
前記比較することに基づいて、前記画像のスクロール提示を表示すべきかどうかを決定すること
のうちの１つまたは複数と実質的に同時に決定される、請求項１に記載の方法。
【請求項３】
前記第２の軸、または
前記第２の軸の成分
のうちの一方または両方が、前記第１の軸と直交する、請求項１に記載の方法。
【請求項４】
前記比較することに基づいて、前記画像のスクロール提示を表示すべきかどうかを決定することが、
前記比率が前記事前決定された非ゼロしきい比率よりも大きい場合、前記スクロール提示を表示すべきではないと決定すること、を含む、請求項１に記載の方法。
【請求項５】
前記事前決定された非ゼロしきい比率が、約０．５５の値を有する、請求項４に記載の方法。
【請求項６】
前記第１の軸が、前記画像の平面内に存在し、前記画像が前記第１の軸に沿って非ゼロのスクロール範囲を有する第３の軸と直交する軸を含む、請求項１に記載の方法。
【請求項７】
前記第２の軸が、前記第３の軸である、請求項６に記載の方法。
【請求項８】
前記スクロール範囲が、前記デバイスの向きに依存する、請求項１に記載の方法。
【請求項９】
前記比較することに基づいて、前記画像の前記スクロール提示を表示すべきかどうかを決定することが、
前記比較することと、
前記デバイスの加速度に基づいて変化する可変閾値と、
に基づいて、前記画像の前記スクロール提示を表示すべきかどうかを決定することを含む、請求項１に記載の方法。
【請求項１０】
前記可変閾値が、前記デバイスの加速度が増加するときに増加する、請求項９に記載の方法。
【請求項１１】
前記加速度が、直線加速度を含む、請求項９に記載の方法。
【請求項１２】
前記可変閾値が、最小閾値と最大閾値の間で変化する、請求項９に記載の方法。
【請求項１３】
前記可変閾値が、傾けの度数に対応する、請求項９に記載の方法。
【請求項１４】
前記可変閾値が、前記デバイスの回転速度に対応する、請求項９に記載の方法。
【請求項１５】
前記可変閾値が、事前決定されたしきい値である、請求項９に記載の方法。
【請求項１６】
１つまたは複数のコンピュータ可読非一時的記憶媒体であって、
実行されると、
デバイス上に表示するための画像の寸法に少なくとも部分的に基づいた、該画像のスクロール範囲を決定すること、
該画像の起点位置および該デバイスの初期の傾けを決定すること、
第１の軸の周りの第２の傾けおよび回転速度を決定すること、
第２の軸の周りの回転速度を決定すること、
該第１の軸の周りの該デバイスの回転速度に対する該第２の軸の周りまたは該第２の軸の成分の周りの該デバイスの回転速度の比率を決定すること、
前記比率を、事前決定された非ゼロしきい比率と比較すること、
該比較することに基づいて、該画像のスクロール提示を表示すべきかどうかを決定すること、
該画像の該スクロール提示を表示すべき場合、
該スクロール範囲、該起点位置、該初期の傾け、および該第２の傾けに少なくとも部分的に基づいて、前進パラメータを決定すること、
該前進パラメータに少なくとも部分的に基づいて、該画像のスクロール提示を表示すること、を実行するように動作可能なソフトウェアを実装する１つまたは複数のコンピュータ可読非一時的記憶媒体。
【請求項１７】
実行されると、前記比較することに基づいて、前記画像の前記スクロール提示を表示すべきかどうかを決定することを実行するように動作可能な前記ソフトウェアが、
実行されると、
前記比較することと、
前記デバイスの加速度に基づいて変化する可変閾値と、
に基づいて、前記画像の前記スクロール提示を表示すべきかどうかを決定することを実行するように動作可能なソフトウェアを含む、請求項１６に記載の１つまたは複数のコンピュータ可読非一時的記憶媒体。
【請求項１８】
前記可変閾値が、事前決定されたしきい値である、請求項１７に記載の１つまたは複数のコンピュータ可読非一時的記憶媒体。
【請求項１９】
前記可変閾値が、前記デバイスの加速度が増加するときに増加する、請求項１７に記載の１つまたは複数のコンピュータ可読非一時的記憶媒体。
【請求項２０】
前記加速度が、直線加速度を含む、請求項１７に記載の１つまたは複数のコンピュータ可読非一時的記憶媒体。
【請求項２１】
前記可変閾値が、最小閾値と最大閾値の間で変化する、請求項１７に記載の１つまたは複数のコンピュータ可読非一時的記憶媒体。
【請求項２２】
前記可変閾値が、傾けの度数に対応する、請求項１７に記載の１つまたは複数のコンピュータ可読非一時的記憶媒体。
【請求項２３】
前記可変閾値が、前記デバイスの回転速度に対応する、請求項１７に記載の１つまたは複数のコンピュータ可読非一時的記憶媒体。
【請求項２４】
前記前進パラメータが、
前記第２の軸の周りの前記回転速度を決定すること、
前記第１の軸の周りの該デバイスの回転速度に対する前記第２の軸の周りもしくは前記第２の軸の成分の周りの該デバイスの回転速度の比率を決定すること、
前記比較することに基づいて、前記画像のスクロール提示を表示すべきかどうかを決定すること
のうちの１つまたは複数と実質的に同時に決定される、請求項１６に記載の１つまたは複数のコンピュータ可読非一時的記憶媒体。
【請求項２５】
前記第２の軸、または
前記第２の軸の成分
のうちの一方または両方が、前記第１の軸と直交する、請求項１６に記載の１つまたは複数のコンピュータ可読非一時的記憶媒体。
【請求項２６】
前記ソフトウェアが、実行されると、
前記比率が前記事前決定された非ゼロしきい比率よりも大きい場合、前記スクロール提示を表示すべきではないと決定するようにさらに動作可能である、請求項１６に記載の１つまたは複数のコンピュータ可読非一時的記憶媒体。
【請求項２７】
前記事前決定された非ゼロしきい比率が、約０．５５の値を有する、請求項２６に記載の１つまたは複数のコンピュータ可読非一時的記憶媒体。
【請求項２８】
前記第１の軸が、前記画像の平面内に存在し、前記画像が前記第１の軸に沿って非ゼロのスクロール範囲を有する第３の軸と直交する軸を含む、請求項１６に記載の１つまたは複数のコンピュータ可読非一時的記憶媒体。
【請求項２９】
前記第２の軸が、前記第３の軸である、請求項２８に記載の１つまたは複数のコンピュータ可読非一時的記憶媒体。
【請求項３０】
前記スクロール範囲が、前記デバイスの向きに依存する、請求項１６に記載の１つまたは複数のコンピュータ可読非一時的記憶媒体。
【請求項３１】
システムであって、
１つまたは複数のプロセッサと、
該１つまたは複数のプロセッサに結合され、該１つまたは複数のプロセッサによって実行可能な命令を含むメモリと、を備え、
該プロセッサが、該命令を実行したときに、
デバイス上に表示するための画像の寸法に少なくとも部分的に基づいた、該画像のスクロール範囲を決定すること、
該画像の起点位置および該デバイスの初期の傾けを決定すること、
第１の軸の周りの第２の傾けおよび回転速度を決定することと、
第２の軸の周りの回転速度を決定すること、
該第１の軸の周りの該デバイスの回転速度に対する該第２の軸の周りまたは該第２の軸の成分の周りの該デバイスの回転速度の比率を決定すること、
前記比率を、事前決定された非ゼロしきい比率と比較すること、
該比較することに基づいて、該画像のスクロール提示を表示すべきかどうかを決定すること、
該画像の該スクロール提示を表示すべき場合、
該スクロール範囲、該起点位置、該初期の傾け、および該第２の傾けに少なくとも部分的に基づいて、前進パラメータを決定すること、
該前進パラメータに少なくとも部分的に基づいて、該画像のスクロール提示を表示すること、を実行するように動作可能である、システム。
【請求項３２】
前記プロセッサが、前記命令を実行したときに、
前記比較することと、
前記デバイスの加速度に基づいて変化する可変閾値と、
に基づいて、前記画像の前記スクロール提示を表示すべきかどうかを決定することを実行するように動作可能である、請求項３１に記載のシステム。
【請求項３３】
前記可変閾値が、前記デバイスの加速度が増加するときに増加する、請求項３２に記載のシステム。
【請求項３４】
前記加速度が、直線加速度を含む、請求項３２に記載のシステム。
【請求項３５】
前記可変閾値が、最小閾値と最大閾値の間で変化する、請求項３２に記載のシステム。
【請求項３６】
前記可変閾値が、傾けの度数に対応する、請求項３２に記載のシステム。
【請求項３７】
前記可変閾値が、前記デバイスの回転速度に対応する、請求項３２に記載のシステム。
【請求項３８】
前記可変閾値が、事前決定されたしきい値である、請求項３２に記載のシステム。
【請求項３９】
前記前進パラメータが、
前記第２の軸の周りの前記回転速度を決定すること、
前記第１の軸の周りの該デバイスの回転速度に対する前記第２の軸の周りもしくは前記第２の軸の成分の周りの該デバイスの回転速度の比率を決定すること、
前記比較することに基づいて、前記画像のスクロール提示を表示すべきかどうかを決定すること
のうちの１つまたは複数と実質的に同時に決定される、請求項３１に記載のシステム。
【請求項４０】
前記第２の軸、または
前記第２の軸の成分
のうちの一方または両方が、前記第１の軸と直交する、請求項３１に記載のシステム。
【請求項４１】
前記プロセッサが、前記命令を実行したときに、
前記比率が前記事前決定された非ゼロしきい比率よりも大きい場合、前記スクロール提示を表示すべきではないと決定するようにさらに動作可能である、請求項３１に記載のシステム。
【請求項４２】
前記事前決定された非ゼロしきい比率が、約０．５５の値を有する、請求項４１に記載のシステム。
【請求項４３】
前記第１の軸が、前記画像の平面内に存在し、前記画像が前記第１の軸に沿って非ゼロのスクロール範囲を有する第３の軸と直交する軸を含む、請求項３１に記載のシステム。
【請求項４４】
前記第２の軸が、前記第３の軸である、請求項４３に記載のシステム。
【請求項４５】
前記スクロール範囲が、前記デバイスの向きに依存する、請求項３１に記載のシステム。